(57)【要約】    【課題】  読取手段の光量変動に追従可能とし、原稿読取パフォーマンスを最大限に発揮可能とした画像読取装置、画像形成装置を提供する。    【解決手段】  スキャナコントローラ３０４は、１枚目の原稿読取前に、シェーディング補正回路５０３により白基準白板１７０を基にシェーディング補正データを作成する。また、１枚目の原稿読取前に、プラテンローラ２４の光量値をサンプリングし第１のサンプリングデータを作成し、１枚毎の原稿読取終了時に、プラテンローラ２４の光量値をサンプリングし第２のサンプリングデータを作成し、第１のサンプリングデータと第２のサンプリングデータとの比率を基に光量変動補正データを作成する。また、第２のサンプリングデータ作成後にタイマをスタートさせ、２枚目以降の原稿読取時に、タイマ値が所定値を超えていた場合は再び第２のサンプリングデータを作成し、光量変動補正データを更新する。【選択図】      図１５
2006148259.tif 000002
【特許請求の範囲】
【請求項１】
原稿を搬送する搬送手段と、
前記搬送手段により搬送される原稿を照明して原稿の反射光を基に画像を読み取る読取手段と、
時刻を計時する計時手段と、
複数の原稿の画像読取を行う際の１枚目の原稿読取後に前記計時手段による計時を開始し、２枚目以降の原稿読取時に、前記計時手段の計時時間が所定値を超えている場合は、前記読取手段の光量変動に対する補正を行う制御手段と、
を備えることを特徴とする画像読取装置。
【請求項２】
前記制御手段は、１枚目の原稿読取前に、前記読取手段による第１の基準部材の読取に基づきシェーディング補正データを作成すると共に、前記読取手段で照明した第２の基準部材の光量値をサンプリングして第１のデータを作成し、１枚毎の原稿読取終了時に、前記第２の基準部材の光量値をサンプリングして第２のデータを作成し、前記第１のデータと前記第２のデータとの比率を基に光量変動補正データを作成し、２枚目以降の原稿読取時に、前記第２のデータの作成後に計時を開始した前記計時手段の計時時間が所定値を超えている場合は再び前記第２のデータを作成し、前記光量変動補正データを更新することを特徴とする請求項１記載の画像読取装置。
【請求項３】
前記制御手段は、前記計時手段の計時時間が所定値を超えていない場合、前記読取手段により次の原稿の読取動作を開始することを特徴とする請求項１又は２記載の画像読取装置。
【請求項４】
前記計時手段の計時時間が所定値を超えているか否かの判定の実行の有無を切り替え可能であることを特徴とする請求項１記載の画像読取装置。
【請求項５】
前記制御手段により前記計時手段の計時時間と比較される所定値は、変更可能値、固定値を含む群から選択されることを特徴とする請求項１乃至４の何れかに記載の画像読取装置。
【請求項６】
前記第２の基準部材は、前記読取手段の読取位置に対応して設けられ、プラテンローラ、白基準シートを含む群から選択されることを特徴とする請求項２記載の画像読取装置。
【請求項７】
前記請求項１乃至６の何れかに記載の画像読取装置を備えることを特徴とする画像形成装置。
【請求項８】
搬送手段により搬送される原稿を読取手段により照明して原稿の反射光を基に画像読取を行う画像読取装置の制御方法であって、
複数の原稿のうち１枚目の原稿読取前に、前記読取手段による第１の基準部材の読取に基づきシェーディング補正データを作成する工程と、
１枚目の原稿読取前に、前記読取手段で照明した第２の基準部材の光量値をサンプリングして第１のデータを作成する工程と、
１枚毎の原稿読取終了時に、前記読取手段で照明した前記第２の基準部材の光量値をサンプリングして第２のデータを作成する工程と、
前記第１のデータと前記第２のデータとの比率を基に光量変動補正データを作成する工程と、
２枚目以降の原稿読取時に、前記第２のデータの作成後に計時した時間が所定値を超えている場合は再び前記第２のデータを作成し、前記光量変動補正データを更新する工程と、
を備えることを特徴とする制御方法。
【請求項９】
搬送手段により搬送される原稿を読取手段により照明して原稿の反射光を基に画像読取を行う画像読取装置の制御方法をコンピュータに実行させるプログラムであって、
複数の原稿のうち１枚目の原稿読取前に、前記読取手段による第１の基準部材の読取に基づきシェーディング補正データを作成する機能と、
１枚目の原稿読取前に、前記読取手段で照明した第２の基準部材の光量値をサンプリングして第１のデータを作成する機能と、
１枚毎の原稿読取終了時に、前記読取手段で照明した前記第２の基準部材の光量値をサンプリングして第２のデータを作成する機能と、
前記第１のデータと前記第２のデータとの比率を基に光量変動補正データを作成する機能と、
２枚目以降の原稿読取時に、前記第２のデータの作成後に計時した時間が所定値を超えている場合は再び前記第２のデータを作成し、前記光量変動補正データを更新する機能と、
をコンピュータに実現させることを特徴とするプログラム。
【発明の詳細な説明】
【技術分野】
【０００１】
本発明は、スキャナ、複写機、プリンタ、ファクシミリ装置等に適用され、画像が載ったシート（原稿）を搬送しながら画像を読み取る画像読取装置、画像形成装置、制御方法、及びプログラムに関する。
【背景技術】
【０００２】
従来、デジタル複写機、プリンタ、ファクシミリ装置等に装備されている画像読取装置には、シート（原稿）を読取位置に自動搬送するシート自動搬送装置としての原稿処理装置（ＡＤＦ：Auto Document Feeder）を画像読取装置本体の上部に対し開閉自在に備えたものがある。
【０００３】
上記原稿処理装置を備えた画像読取装置による原稿読取方法の１つに、原稿処理装置により自動搬送された原稿に対して、原稿処理装置の下方に位置する画像読取装置本体の読取部をモータにより設定位置に移動して停止させた後、所定速度で搬送されてくる原稿に対し読取部のランプから光を照射して走査を行い、その反射光を読取部により検出することで画像を読み取る読取方法がある。以下、該読取方法を流し読みという。流し読みを用いた原稿処理装置の読取位置近傍の構成を図２１に示す。
【０００４】
図２１は、従来例に係る画像読取装置の原稿処理装置の読取位置上方にガイド部材を設けた場合の構成を示す構成図であり、図２２は、原稿処理装置の読取位置上方にプラテンローラを設けた場合の構成を示す構成図である。
【０００５】
図２１において、読取位置αの上流側と下流側に搬送ローラ対４０２、４０３を配置し、読取位置αの略上方にプラテンガラス４０４と所定の隙間を形成するガイド部材４０５を設けている。そして、読取部４０１を読取位置αに移動して、原稿を隙間で規制しながら読取部４０１の上方を一定の速度で矢印方向へ搬送することで、原稿搬送時の速度変動を抑えて画像の読み取りを行っている。このとき、読取位置αは原稿とプラテンガラス４０４とが接触する位置よりも上流に設定され、原稿はプラテンガラス４０４から少し浮いた状態で読み取られる。
【０００６】
また、図２２に示すように、図２１のガイド部材４０５の代わりに、不図示の駆動手段により回転可能なプラテンローラ４０６を設け、ガイド部材４０５より微小な隙間で原稿をプラテンガラス４０４側に押し付けて搬送を行う構成もある。このプラテンローラ４０６は、コンタクトイメージセンサ（ＣＩＳ）などの読取深度が浅い読取部に対し、原稿の浮きを防止する構成として用いられる。このときの読取位置βは、プラテンローラ４０６近傍の原稿とプラテンガラス４０４が接触している位置に設けられている。尚、４０７はプラテンローラ４０６の上流側と下流側に配設されたガイド部材である。
【０００７】
しかし、従来の流し読み方式の画像読取装置には、ランプの光量変動に対して弱いという致命的な欠点がある。通常、ＣＣＤの読取レベルを均一にする方法として、シェーディング補正が一般的に行われており、シェーディング補正用白板を用いることで主走査方向の光量ばらつきを補正する。しかしながら、流し読み動作の場合においては、読取対象原稿１枚おきにシェーディング補正を行うと、読取部を流し読み位置とシェーディング補正位置の間を移動させなければならず、パフォーマンス低下を招いてしまう。
【０００８】
そのため、パフォーマンス重視の解決方法としては、シェーディング補正は読取ジョブ開始時に行い、読取対象原稿１枚おきに端部白板を用いて一律にゲイン補正を行い、所定タイミングで再度シェーディング補正を行う、という制御が提案されている（例えば、特許文献１参照）。
【０００９】
また、外部要因で読取動作が中断された時の解決方法としては、原稿の読取動作中断がある場合、その時の読取信号ピーク値を記憶しておき、読取動作再開時に読取信号ピーク値を検知し、上記記憶した読取信号ピーク値と検知した読取信号ピーク値との比率に応じて、アナログビデオ信号に対して一律にゲイン補正する、という制御が提案されている（例えば、特許文献２参照）。
【特許文献１】特開2001-211298号公報
【特許文献２】特開2002-135531号公報
【発明の開示】
【発明が解決しようとする課題】
【００１０】
しかしながら、上述した端部白板のみを用いて一律にゲイン補正を行う制御では、ランプの点灯時間に応じた光量プロファイル変動（ランプの長手方向中央部の輝度レベルが長手方向両端部の輝度レベルより低下する変動）の問題には対処できないという問題がある。即ち、端部白板のみでは全体の光量プロファイル変動には追従できない。そのことを踏まえ、上記特許文献１の場合においては、ランプ点灯からの経過時間で再度シェーディング補正を行うという提案がされているが、原稿読取パフォーマンスが著しく低下してしまうといった問題があった。
【００１１】
また、上記特許文献２の場合においては、原稿の読取動作中断の後、読取動作再開後の読取動作時には、光量プロファイル変動が原稿読取に影響ないレベルの場合でも、必ず毎回、読取信号ピーク値の検知を行ってしまうため、読取動作中断から復帰してからの読取動作までに余計に時間がかかってしまうといった問題があった。
【００１２】
上記問題は、原稿の読取動作中断時間が限りなく短い場合においては致命的である。例えば、通常の複写動作時には原稿読取動作がパフォーマンスを最大に発揮可能な複写機であったとしても、複合機のようにネットワークスキャンとして利用された場合に、複合機からパーソナルコンピュータ（ＰＣ）に対するデータ転送時間の兼ね合いで、１枚おきの原稿読取動作間にわずかな中断が定常的に発生すると、原稿読取動作そのもののパフォーマンス低下へとつながってしまうことになる。
【００１３】
本発明の目的は、読取手段の光量変動に追従することを可能とし、原稿読取パフォーマンスを最大限に発揮することを可能とした画像読取装置、画像形成装置、制御方法、及びプログラムを提供することにある。
【課題を解決するための手段】
【００１４】
上述の目的を達成するために、本発明の画像読取装置は、原稿を搬送する搬送手段と、前記搬送手段により搬送される原稿を照明して原稿の反射光を基に画像を読み取る読取手段と、時刻を計時する計時手段と、複数の原稿の画像読取を行う際の１枚目の原稿読取後に前記計時手段による計時を開始し、２枚目以降の原稿読取時に、前記計時手段の計時時間が所定値を超えている場合は、前記読取手段の光量変動に対する補正を行う制御手段と、を備えることを特徴とする。
【００１５】
上述の目的を達成するために、本発明の制御方法は、搬送手段により搬送される原稿を読取手段により照明して原稿の反射光を基に画像読取を行う画像読取装置の制御方法であって、複数の原稿のうち１枚目の原稿読取前に、前記読取手段による第１の基準部材の読取に基づきシェーディング補正データを作成する工程と、１枚目の原稿読取前に、前記読取手段で照明した第２の基準部材の光量値をサンプリングして第１のデータを作成する工程と、１枚毎の原稿読取終了時に、前記読取手段で照明した前記第２の基準部材の光量値をサンプリングして第２のデータを作成する工程と、前記第１のデータと前記第２のデータとの比率を基に光量変動補正データを作成する工程と、２枚目以降の原稿読取時に、前記第２のデータの作成後に計時した時間が所定値を超えている場合は再び前記第２のデータを作成し、前記光量変動補正データを更新する工程と、を備えることを特徴とする。
【００１６】
上述の目的を達成するために、本発明のプログラムは、搬送手段により搬送される原稿を読取手段により照明して原稿の反射光を基に画像読取を行う画像読取装置の制御方法をコンピュータに実行させるプログラムであって、複数の原稿のうち１枚目の原稿読取前に、前記読取手段による第１の基準部材の読取に基づきシェーディング補正データを作成する機能と、１枚目の原稿読取前に、前記読取手段で照明した第２の基準部材の光量値をサンプリングして第１のデータを作成する機能と、１枚毎の原稿読取終了時に、前記読取手段で照明した前記第２の基準部材の光量値をサンプリングして第２のデータを作成する機能と、前記第１のデータと前記第２のデータとの比率を基に光量変動補正データを作成する機能と、２枚目以降の原稿読取時に、前記第２のデータの作成後に計時した時間が所定値を超えている場合は再び前記第２のデータを作成し、前記光量変動補正データを更新する機能と、をコンピュータに実現させることを特徴とする。
【発明の効果】
【００１７】
本発明によれば、複数の原稿の画像読取を行う際の当該原稿の読取動作後に、次の原稿の読取動作が待たされてしまうケース（例えば原稿の読取画像データを外部装置に送信する時間が長いケース）においても、２枚目以降の原稿読取時に、計時手段の計時時間が所定値を超えている場合は、読取手段の光量変動に対する補正を実行し、その後、次の原稿の読取動作を行うことで、読取手段の光量変動に追従することが可能となる。また、計時手段の計時時間が所定値を超えていない場合は、そのまま次の原稿の読取動作を行うことで、原稿読取パフォーマンスを最大限に発揮することが可能となる。
【発明を実施するための最良の形態】
【００１８】
以下、本発明の実施の形態を図面に基づき説明する。
【００１９】
本実施の形態では、画像読取装置と、画像読取装置を備えた画像形成装置（複写機）について説明する。
【００２０】
図１は、本実施の形態に係る画像読取装置の構成を示す構成図であり、図２は、画像読取装置を備えた画像形成装置（複合機）の構成を示す構成図である。
【００２１】
図１及び図２において、画像読取装置は、原稿処理装置２、リーダ部１５０を備えている。また、画像形成装置は、原稿処理装置２、リーダ部１５０、プリンタ部３００を備えている。
【００２２】
先ず、画像読取装置及び画像形成装置に共通の原稿処理装置２及びリーダ部１５０の構成と、画像形成装置のプリンタ部３００の構成を説明する。
【００２３】
＜原稿処理装置の構成＞
原稿処理装置２は、原稿トレイ４、搬送パス、各種ローラ、各種センサ、排紙トレイ１０等を備えており、読取対象の原稿を読取位置へ搬送する。原稿処理装置２は、リーダ部１５０の上部にヒンジ機構９５、９６を介して装着されており、リーダ部１５０のプラテンガラス１６１、原稿台ガラス３に対して開閉可能に構成されている。
【００２４】
原稿トレイ４は、シート状の原稿Ｐ（以下原稿）を積載するためのものである。原稿トレイ４には、一対の幅方向規制板（不図示）が原稿の幅方向にスライド自在に配置されている。幅方向規制板により原稿トレイ４に積載される原稿の幅方向を規制することで、原稿搬送時の搬送安定性を確保できる。
【００２５】
原稿トレイ４の給紙側には、給紙ローラ５が設けられている。給紙ローラ５は、分離搬送ローラ８の回転に連れて回転し、原稿を給紙する。給紙ローラ５は、ユーザによる原稿セット作業を阻害しないように、通常時はホームポジションである上方位置（図中破線位置）に待避し、給紙動作が開始されると下方位置（図中実線位置）に下降して原稿の上面に当接する。給紙ローラ５は、不図示のアームにより軸支されているため、該アームを揺動して給紙ローラ５を上下に動かすことが可能である。
【００２６】
分離部は、分離パッド６及び分離搬送ローラ８から構成されている。分離パッド６は、分離搬送ローラ８の対向側に配置されており、分離搬送ローラ８側に圧力を加えている。分離パッド６は、分離搬送ローラ８より摩擦が若干小さいゴム材料などで形成されており、給紙ローラ５により給紙される原稿を１枚毎にさばく。分離搬送ローラ８は、分離パッド６でさばかれた原稿を搬送する。
【００２７】
レジストローラ１２、レジスト従動ローラ１１は、分離部により分離搬送された原稿の先端を揃えるローラである。静止したレジストローラ１２、レジスト従動ローラ１１のニップ部に向けて上記分離した原稿の先端を突き当て、原稿にループを生じさせることで、原稿の先端を揃える。
【００２８】
原稿の先端を揃えた後、リードローラ２２、リード従動ローラ１４によりプラテンガラス１６１上に向けて原稿を搬送する。プラテンガラス１６１上に搬送した原稿をジャンプ台１６２によりすくい上げ、リード排出ローラ２３、リード排出従動ローラ１６により搬送する。原稿の画像読み取りが終了すると、原稿を排紙ローラ１８により排紙トレイ１０に排出する。
【００２９】
原稿の両面を読み取る両面読取モード時には、表面の画像読み取りが終了した原稿を排紙ローラ１８により排出せずにスイッチバック搬送することで、排紙ローラ１８とレジストローラ１２との間に配設されているスイッチバック用の搬送パスに原稿を案内し、レジストローラ１２、レジスト従動ローラ１１に向けて搬送する。原稿がレジストローラ１２、レジスト従動ローラ１１に到達すると、上記と同様に原稿の裏面の画像読み取りを行う。
【００３０】
＜リーダ部の構成＞
リーダ部１５０は、ランプ１５２及びミラー１５３を有する第１光学台１５９、ミラー１５５及びミラー１５６を有する第２光学台１５１、レンズ１５７、ＣＣＤ１５８を備えており、原稿処理装置２により搬送された原稿から画像を読み取る。
【００３１】
第１光学台１５９、第２光学台１５１は、不図示のワイヤによりモータ３１４（図３参照）の出力軸に接続されており、モータ３１４の回転駆動により原稿台ガラス３と平行に副走査方向へ移動するように制御される。モータ３１４や、第１光学台１５９のホームポジション位置を検知するポジションセンサ３１５等については図６で説明する。
【００３２】
第１光学台１５９のランプ１５２から光が照射された原稿からの反射光は、ミラー１５３、１５５、１５６を介してレンズ１５７に導かれ、レンズ１５７によりＣＣＤ１５８上に集光される。ＣＣＤ１５８は、原稿の画像情報を反映した上記反射光を光電変換し、電子的な画像信号として出力する。
【００３３】
第１光学台１５９を第１読取位置（流し読み位置）１６０に停止した状態で、原稿処理装置２により原稿を搬送しながら原稿情報を読み取る流し読みモードと、原稿を原稿台ガラス３上に固定的に載置した状態で、第１光学台１５９及び第２光学台１５１を副走査方向に移動させながら原稿情報を読み取る原稿台ガラス読取モードの２つのモードで原稿情報を読み取ることができる。
【００３４】
＜プリンタ部の構成＞
プリンタ部３００は、感光ドラム１１２、現像器１１４、転写帯電器１１５、分離帯電器１１６、定着装置１１８、給紙部、搬送パス、各種ローラ、各種センサ等を備えており、公知の静電潜像画像形成方式によりシートに画像形成を行うものである。
【００３５】
上段給紙カセット１００は、複数枚のシートを収納可能であり、給紙カセット内のシートは分離爪と給送ローラ１０１の作用により１枚ずつ分離給送され、レジストローラ１０６に導かれる。下段給紙カセット１０２は、複数枚のシートを収納可能であり、給紙カセット内のシートは分離爪と給送ローラ１０３の作用により１枚ずつ分離給送され、レジストローラ１０６に導かれる。
【００３６】
手差しガイド１０４は、シートを手差し給紙するためのものであり、手差し給紙されたシートが１枚ずつローラ１０５を介してレジストローラ１０６に導かれる。シート積載装置（デッキタイプ）１０８は、モータ等により昇降する中板１０８ａを備え、中板上のシートは分離爪と給送ローラ１０９の作用により１枚ずつ分離給送され、搬送ローラ１１０に導かれる。
【００３７】
感光ドラム１１２〜分離帯電器１１６が画像形成部を構成している。現像器１１４により、感光ドラム１１２上の静電潜像をトナーで現像する。転写帯電器１１５、分離帯電器１１６は、それぞれ感光ドラム１１２の帯電を行う。定着装置１１８は、搬送ベルト１１７で搬送されたシートのトナー像を定着させる。画像形成されたシートは、搬送ローラ１１９を介しダイバータ１２０により排出ローラ１２１に導かれ、ソータ１２２内に搬送される。
【００３８】
ソータ１２２は、ノンソートトレイ１２２ａ、ソートビントレイ１２２ｂ、ノンソートトレイ排出ローラ１２２ｃ、ソートビントレイ排出ローラ１２２ｄを備えており、ノンソートトレイ１２２ａとソートビントレイ１２２ｂが昇降することでシートを１段ずつ区分けする。尚、プリンタ部３００にソータ１２２を装着する代わりに排出トレイを装着する場合もある。
【００３９】
シートの両面に原稿の画像を形成する両面複写、シートの１面に原稿の画像を複数形成する多重複写の場合には、定着後のシートはダイバータ１２０により分岐されて搬送ローラ２０１により搬送される。その後、両面複写時は、シートはベルト２０２、２０４、パス２０６、排出ローラ２０５を経て中間トレイ２００に排出される。多重複写時は、シートはダイバータ２０３により中間トレイ２００に排出される。２０９、２１０はシートを給送する半月ローラ、２１１は分離ローラ対、２１３、２１４、２１５はシートをレジストローラ１０６へ搬送する搬送ローラである。
【００４０】
次に、画像読取装置及び画像形成装置に共通の駆動系、制御系、各種センサ、操作パネル等の構成を説明する。
【００４１】
図３は、原稿処理装置２及びリーダ部１５０の駆動系を示す構成図である。
【００４２】
図３において、分離モータ（Ｍ１）５０は、ステッピングモータから構成されており、正転及び逆転により原稿の分離・搬送を行う。分離モータ５０は、給紙方向に回転したときには、給紙ローラ５をホームポジションである上方位置（図中破線位置）から下方位置（図中実線位置）に下降させ、原稿トレイ４上の最上位の原稿に圧接させると共に、給紙ローラ５と分離ローラ８を駆動する。分離モータ５０は、給紙方向とは逆転方向である搬送方向に回転したときには、給紙ローラ５を下方位置から上方位置に持ち上げ保持すると共に、レジローラ１２を駆動する。
【００４３】
リードモータ（Ｍ２）５１は、ステッピングモータから構成されており、リードローラ２２、プラテンローラ２４、リード排出ローラ２３、排紙ローラ１８を駆動する。リードモータ５１は、搬送される原稿の画像を読み取る速度で上記各ローラを駆動する。モータ（Ｍ３）３１４は、ステッピングモータから構成されており、第１光学台１５９、第２光学台１５１をワイヤを介して原稿台ガラス３と平行に移動させる。離間ソレノイド（ＳＬ）５７は、表面画像を読み取った原稿を裏面画像を読み取るためにスイッチバック搬送する時、排紙ローラ１８の従動コロを圧着・離間させる。
【００４４】
原稿トレイ４の端部には、透過型光センサである原稿セット検知センサ４０が配設されており、原稿トレイ４に原稿がセットされたことを検知する。原稿トレイ４の下部には、原稿幅検知センサ４４が配設されており、サイドガイドの位置を検出することにより原稿トレイ４にセットされた原稿束の幅方向の長さを検知する。
【００４５】
分離ローラ８とレジストローラ１２の間には、透過型光センサであるレジストセンサ７が配設されており、分離給送された原稿の先端を検知し、レジストローラ１２への原稿の突き当て量（ループ量）を制御するタイミングなどを検知する。リードローラ２２の直後には、反射型光センサであるリードセンサ１３が配設されており、搬送された原稿を検知し、該検知信号を読取位置１６０での原稿の画像読み取り開始タイミングの基準信号としている。排紙ローラ１８の直前には、透過型光センサである排紙センサ１７が配設されており、原稿の排紙タイミングなどを検知する。
【００４６】
原稿セット検知センサ４０により原稿トレイ４上にある原稿が検知されると、給紙ローラ５が下降して原稿に当接する。画像形成装置の操作パネル（図４参照）から複写条件が入力されスタートキーが押されると、原稿幅検知センサ４４により原稿のサイズが検知される。更に、離間ソレノイド５７の保持が解除され、給紙ローラ５の給送力により原稿を分離ローラ８側へ搬送し、分離ローラ８により原稿を１枚ずつ分離して下流側に搬送する。
【００４７】
更に、レジストローラ１２で原稿の先端を揃え、該レジストローラ１２により原稿を搬送する。原稿の先端がリードローラ２２に到達すると、リードローラ２２によりプラテンガラス１６１に向けて原稿を搬送し、プラテンローラ２４及びリード排出ローラ２３により原稿を搬送しながら、読取位置１６０で原稿の画像を読み取る。原稿の画像読み取りが終了すると、排紙ローラ１８により原稿を排紙トレイ１０に排出し積載する。
【００４８】
図４は、リーダ部１５０に配設される操作パネルの例を示す図である。
【００４９】
図４において、Ｐ２０１は、動作状況・メッセージを表示する表示部であり、タッチパネルから構成された表面を触れることにより選択キーとして機能し、倍率設定等が可能である。Ｐ２０２は、数字を入力するテンキーであり、１枚の原稿に対するコピー枚数を設定可能である。Ｐ２０３は、スタートキーであり、該キーを押下することにより原稿読取動作が開始される。
【００５０】
Ｐ２０４は、ファンクションキーであり、コピー動作、ＢＯＸ動作、拡張機能の切り替えをワンタッチで行うことが可能である。ＢＯＸ機能とは、画像形成装置本体内に装備されたハードディスク等の記憶部に原稿から読み取った画像を蓄積しておく機能である。Ｐ２０５は、設定キーであり、原稿読取待ちのタイムアウト時間の設定や、読取モードを自動または固定に切り替える設定が可能である。設定キーＰ２０５を押すことで、表示部Ｐ２０１は図５に示す表示に切り替わる。
【００５１】
図５は、操作パネルの表示が切り替わった例を示す図である。
【００５２】
図５において、表示部Ｐ２０１内のキーを押すことで読取モードの設定が可能である。通常時は「オート」設定となっており、画像読取の速度を優先する「速度優先」設定、画像読取の画質を優先する「画質優先」設定と所望に応じて切り替えることが可能である。図示の例では、「速度優先」設定となっている。また、「オート」設定時においては、原稿読取待ちのタイムアウト時間の設定をテンキーＰ２０２により切り替えることが可能である。
【００５３】
図６は、リーダ部１５０の制御系の構成を示すブロック図である。
【００５４】
図６において、リーダ部１５０は、ランプ１５２、ＣＣＤ１５８、Ａ／Ｄ変換回路３０１、エンコーダ３０２、バックアップＲＡＭ３０３、スキャナコントローラ３０４、ポジションセンサ３１５を備えている。
【００５５】
Ａ／Ｄ変換回路３０１は、ＣＣＤ１５８から出力されるアナログ信号をデジタル信号に変換する。モータ３１４は、エンコーダ３０２と接続されており、エンコーダ３０２の出力により、第１光学台１５９、第２光学台１５１が何パルス分移動したかを認識できるようになっている。即ち、ポジションセンサ３１５からの検知信号とエンコーダ３０２からのエンコーダパルスにより、第１光学台１５９、第２光学台１５１の位置を把握することが可能である。
【００５６】
ポジションセンサ３１５は、第１光学台１５９のホームポジション位置を検知する。ポジションセンサ３１５により検知したホームポジション位置を基準としてモータ３１４を正転／逆転することにより、第１光学台１５９、第２光学台１５１を移動し、原稿台ガラス３上の原稿を光学的に走査する。バックアップＲＡＭ３０３は、原稿処理装置２により原稿を搬送しながら画像を読み取る読取モードにおける正規の原稿読取位置を設定するためのデータを記憶する。スキャナコントローラ３０４は、ＣＰＵ５４とＲＯＭ３０４ａを備えている。ＣＰＵ５４は、第１光学台１５９の位置決め動作を行う処理をＲＯＭ３０４ａに格納された情報に従って実行する。
【００５７】
図７は、原稿処理装置２の制御系の構成を示すブロック図である。
【００５８】
図７において、原稿処理装置２の制御系は、スキャナコントローラ３０４のＣＰＵ５４を中心に構成されており、電池によりバックアップされるＲＡＭと制御シーケンスソフトが格納されたＲＯＭ（以上不図示）を備えている。ＣＰＵ５４の出力ポートには、分離モータ５０、リードモータ５１、離間ソレノイド５７が接続されている。分離モータ５０とリードモータ５１は、各ステッピングモータドライバにより駆動される。各ステッピングモータドライバには、ＣＰＵ５４から相励磁信号とモータ電流制御信号が入力される。離間ソレノイド５７は、ドライバにより駆動され、ＣＰＵ５４の制御信号によりその動作が制御される。
【００５９】
ＣＰＵ５４の入力ポートには、レジストセンサ７、リードセンサ１３、排紙センサ１７、原稿セット検知センサ４０、原稿幅検知センサ４４が接続されている。各センサは、原稿処理装置内における原稿の挙動及び可動負荷の挙動をモニタするために用いられる。通信用ＩＣ５５は、画像形成装置本体５６との間のデータ通信を制御する。
【００６０】
図８は、リーダ部１５０のスキャナコントローラ３０４と画像形成装置本体５６とＰＣ１９０８との接続状態を示すブロック図である。
【００６１】
図８において、リーダ部１５０のスキャナコントローラ３０４と画像形成装置本体５６とは、リーダケーブル（通信ライン及び画像ライン）１９０７により接続されている。画像形成装置本体５６とＰＣ１９０８とは、ネットワーク１９０９により通信可能である。画像形成装置本体５６は、通信用ＩＣ１９０１、ＣＰＵ１９０２、リーダメモリ１９０３、エンコーダ１９０４、圧縮メモリ１９０５、ネットワークドライバ１９０６を備えている。画像形成装置のネットワークスキャン動作によるＰＣ側に対する原稿の読取画像データ送信の流れは後述する。
【００６２】
図９は、原稿処理装置及びリーダ部間の原稿読取部の構成を示す断面図であり、図１０は、原稿読取部の要部の拡大した断面図である。
【００６３】
図９及び図１０において、プラテンガラス１６１は、ガラス表面にＥＣコート（透明導電コート）が施されている。アルミシート２７は、導電性両面テープでプラテンガラス１６１の端部の表面から裏面にかけて貼られている。樹脂シート２６は、アルミシート２７を保護している。プラテンローラ２４は、白色のローラであり、リードモータ５１による駆動により原稿搬送方向に回転する。プラテンローラ２４は、プラテンガラス１６１との間のギャップが不図示のガラス突き当て部材により所定間隔（例えば０．１５ｍｍ）に保証されている。
【００６４】
従動のシート規制コロ２５は、プラテンガラス１６１とのギャップが所定間隔（例えば０．８ｍｍ）に保証されている。白色ガイド２８（白色ポリエステルフィルム）２８は、プラテンローラ２４とシート規制コロ２５を抱えリードローラ２２を支点に揺動自在に設けられたガイド部材に取り付けられており、プラテンローラ２４近傍の白色度を安定させる。
【００６５】
原稿Ｐは、プラテンローラ２４と、プラテンガラス１６１と、シート規制コロ２５と、ジャンプ台１６２とに規制されながら、プラテンガラス１６１上を一定の速度で搬送されていく。その際、原稿Ｐは、プラテンローラ２４の直下近傍でプラテンガラス１６１と接触する位置Ａと、白色ガイド２８の下方でプラテンガラス１６１と接触しない位置Ｂとがある。第１光学台１５９は、モータ３１４により副走査方向へ移動されるが、第１光学台１５９の原稿読取位置は、スキャナコントローラ３０４により、上記位置Ａに相当する第１読取位置１６０と、上記位置Ｂに相当する第２読取位置１６３とを適宜選択可能に制御される。
【００６６】
また、原稿台ガラス３におけるジャンプ台１６２近傍の下面には、シェーディング補正用の白基準白板１７０が貼り付けられている。シェーディング補正回路５０３（図１１参照）によるシェーディング補正時には、第１光学台１５９を白基準白板１７０の直下に移動させ白基準白板１７０を読み取ることでシェーディング補正を実行する。
【００６７】
図１１は、画像読取装置の画像データの流れを示すブロック図である。
【００６８】
図１１において、ＣＣＤ１５８が原稿からの反射光を光電変換し電気信号を出力すると、Ａ／Ｄ変換回路３０１は、ＣＣＤ１５８から出力されたアナログ信号（電気信号）をデジタル信号に変換する。シェーディング補正回路５０３は、Ａ／Ｄ変換回路３０１の出力に基づきシェーディング補正と後述の配光変動補正（光量プロファイル変動補正）を行い、該補正後の画像信号を画像データとして出力する。
【００６９】
図１２は、シェーディング補正回路５０３の構成を示すブロック図である。
【００７０】
図１２において、シェーディング補正回路５０３は、減算器１０４１、乗算器１０４２、ラインメモリ（１）１０４３、ラインメモリ（２）１０４４、乗算器１０４５、係数設定部１０４６を備えている。図中２本の破線矢印は黒基準サンプル動作と白基準サンプル動作である。
【００７１】
ラインメモリ（１）１０４３は、黒基準のデータＢｋ（ｉ）を格納する。ラインメモリ（２）１０４４は、白基準のデータＷＨ（ｉ）、白シェーディング補正データを格納する。減算器１０４１は、入力値とラインメモリ（１）１０４３の値との減算動作を行う。乗算器１０４２は、減算器１０４１の出力値とラインメモリ（２）１０４４の値との乗算動作を行う。乗算器１０４５は、乗算器１０４２の出力値と係数設定部１０４６の設定値との乗算動作を行う。係数設定部１０４６は、ランプ１５２の長手方向（主走査方向）の複数のポイント毎（例えば図１３のＡ、Ｂ、Ｃ、Ｄ、Ｅ、Ｆ）に、それぞれ係数値を保持する。
【００７２】
シェーディング補正データの採取動作を行う場合は、まず、第１光学台１５９のランプ１５２を消灯してＣＣＤ１５８の画素毎に黒基準のデータＢｋ（ｉ）をサンプルし、ラインメモリ（１）１０４３に格納する。次に、シェーディング補正用の白基準白板１７０の位置でランプ１５２を点灯して白基準のデータＷＨ（ｉ）をサンプルし、ラインメモリ（２）１０４４に格納する。
【００７３】
更に、白基準のデータＷＨ（ｉ）を白シェーディング補正データに変換する演算を下記の式
１／（ＷＨ（ｉ）―Ｂｋ（ｉ））
に基づき行い、演算結果をラインメモリ（２）１０４４に格納する。以上までがシェーディング補正動作である。
【００７４】
実際の原稿画像の読取時には、下記の式
ＯＵＴ（ｉ）＝（ＩＮ（ｉ）―Ｂｋ（ｉ））×（１／（ＷＨ（ｉ）―Ｂｋ（ｉ）））
に示す演算をリアルタイムでＣＣＤ１５８の画素毎に行い、シェーディング補正後の画像データをシェーディング補正回路５０３から出力する。ここで、ＩＮ（ｉ）はｉ番目の入力データ、ＯＵＴ（ｉ）はｉ番目の出力データ、Ｂｋ（ｉ）はラインメモリ（１）１０４３のｉ番目の黒基準データ、１／（ＷＨ（ｉ）―Ｂｋ（ｉ））はｉ番目の白シェーディング補正データである。
【００７５】
本実施の形態は次のような特徴を有する。
【００７６】
スキャナコントローラ３０４は、複数の原稿のうち１枚目の原稿読取前に、シェーディング補正回路５０３により白基準白板１７０を基にシェーディング補正データを作成する。また、１枚目の原稿読取前に、プラテンローラ２４の光量値をサンプリングして第１のサンプリングデータを作成し、１枚毎の原稿読取終了時に、プラテンローラ２４の光量値をサンプリングして第２のサンプリングデータを作成し、第１のサンプリングデータと第２のサンプリングデータとの比率を基に光量変動補正データを作成する。また、第２のサンプリングデータの作成後にタイマをスタートさせ、２枚目以降の原稿読取時に、タイマ値が所定値を超えていた場合は再び第２のサンプリングデータを作成し、光量変動補正データを更新する。
【００７７】
次に、本実施の形態の配光変動補正方法について説明する。
【００７８】
図１３は、リーダ部１５０の第１光学台１５９のランプ１５２の主走査配光分布を示す図である。
【００７９】
図１３において、横軸が主走査方向、縦軸が輝度レベルであり、原稿処理装置２により搬送される原稿と原稿の間（原稿がない状態）において、第１光学台１５９によりプラテンローラ２４を読み取った時のランプ１５２の主走査方向の配光分布を表している。配光分布はシェーディング補正後（０分）は略平坦であるが、２分後には配光が変動してしまう。
【００８０】
そのため、従来は原稿間で再度シェーディング補正を行っていたが、読取手段がＣＩＳのような構成の時に、第１光学台１５９を白基準白板１７０の直下に再度移動させると、著しく読取効率が低下してしまう。ＣＩＳの場合、第１光学台１５９は常に原稿台ガラス３に密着しており、第１光学台１５９を白基準白板１７０の直下に移動させる時はジャンプ台１６２の下方を通過するため、あまり速度を上げることができず、移動に時間がかかるためである。更に、従来例のように端部白板を用いて主走査方向に一律にゲインをかける方法もあるが、この方法では、ランプ１５２の主走査方向の中央部と端部において光量の減少量が異なる時に、配光の変動を補正しきれない。
【００８１】
図１５は、配光変動補正処理を示すフローチャートである。
【００８２】
図１５において、まず、スキャナコントローラ３０４は、複数枚の原稿のうち１枚目の原稿読取前に、ＣＣＤ１５８により基準となるプラテンローラ２４を読み取った時の主走査ｍ画素と副走査ｎ画素を主走査方向の複数ポイントでサンプリングし、それぞれのポイント毎に平均化し、平均化したデータをプラテンローラ２４の平均輝度レベルとしてバックアップＲＡＭ３０３に格納する（ステップＳ１０）。次に、スキャナコントローラ３０４は、複数枚の原稿読取に際し、ステップＳ１０と同様に、原稿間で再度プラテンローラ２４を読み取った時の主走査ｍ画素と副走査ｎ画素を主走査方向の複数ポイントでサンプリングし、それぞれのポイント毎に平均化する（ステップＳ１１）。
【００８３】
次に、スキャナコントローラ３０４は、それぞれのサンプルポイント（図１３のＡ、Ｂ、Ｃ、Ｄ、Ｅ、Ｆ）毎に計算した平均値を用いて、減少率を下記の式より計算する（ステップＳ１２）。
【００８４】
減少率＝原稿間でのプラテンローラの平均輝度レベル／プラテンローラの平均輝度
レベル
更に、スキャナコントローラ３０４は、上記計算した減少率から、それぞれのサンプルポイントでのゲイン値を下記の式より計算し、バックアップＲＡＭ３０３に格納する（ステップＳ１３）。
【００８５】
ゲイン値＝１／減少率
複数のサンプルポイント間のゲイン値は、図１４に示すように２点間のゲイン値から一次式で近似しゲイン値を求める。ここでは、Ｅ−Ｆ間でのゲイン値を算出して１次直線にしている。これにより、余計なメモリを持つことなく、２点間のゲイン値から単調増加あるいは単調減少により全画素分のゲイン値を計算できる。このゲイン値（光量変動補正データ）を用いて配光変動補正（光量プロファイル変動補正）動作を行う。平均化するサンプルポイント数（本実施の形態では６ポイント）は多い方が配光分布を精度よく近似できるので有効である。
【００８６】
しかし、第１光学台１５９のランプ１５２の特性によっては、少ないサンプルポイント数でも近似できる可能性もあり、サンプルポイント数、サンプルポイント位置は設定変更可能である。サンプルポイント数を少なくすることにより、処理速度も早くなりメモリが少なくて済む。そして、サンプルポイント領域については主走査ｍ画素（本実施の形態では２５６画素）、副走査ｎ画素（本実施の形態では６４画素）を平均化することにより、プラテンローラ２４の汚れや電気的なノイズ成分の影響を低減している。
【００８７】
上記図１５の配光変動補正処理でゲイン値を計算した後、スキャナコントローラ３０４は、ゲイン値をシェーディング補正回路５０３の係数設定部１０４６に設定する。係数設定部１０４６は、上述したように第１光学台１５９のランプ１５２の長手方向（主走査方向）の複数のポイント毎（図１３のＡ、Ｂ、Ｃ、Ｄ、Ｅ、Ｆ）にそれぞれ係数値を保持している。
【００８８】
初回（１枚目）の原稿読取時には、係数設定部１０４６には１を設定し、乗算器１０４５で１倍の乗算を行う。それ以降は、原稿読取毎にゲイン値を係数設定部１０４６に設定する。このようにして、流し読みを行った場合の、ページ単位での原稿読取の白レベルが同一になるように補正することが可能となる。本実施の形態では、読取パフォーマンス重視を考慮しているため、当該原稿の読取終了と同時に配光変動補正処理を行い、次の原稿の読取時にはゲイン値の設定が行われているという処理となっている。
【００８９】
本実施の形態の特徴は、次の原稿読取が何らかの要因（例えば、画像形成装置のネットワークスキャン動作においてＰＣ側に対するデータ送信に時間がかかるなどの要因）により、原稿読取動作が待たされてしまう場合、その間は、第１光学台１５９のランプ１５２が点灯状態で待たされてしまうことにより配光変動に追従できない点をリカバリする点にある。以降、その内容について説明する。
【００９０】
まず、画像形成装置のネットワークスキャン動作におけるＰＣ側に対する原稿の読取画像データ送信の流れについて上記図８に基づき説明する。
【００９１】
スキャナコントローラ３０４と画像形成装置本体５６との間は、リーダケーブル１９０７で結線されている。原稿の画像読取動作中は、スキャナコントローラ３０４のＣＰＵ５４の制御により、原稿から読み取った画像データを通信用ＩＣ５５により画像形成装置本体５６に送信する。
【００９２】
画像形成装置本体５６側では、送信されてきた画像データを通信用ＩＣ１９０１により受信し、ＣＰＵ１９０２の制御によりリーダメモリ１９０３に展開する。画像形成装置本体５６のＣＰＵ１９０２は、スキャナコントローラ３０４のＣＰＵ５４から原稿１ページの画像読取が終了した旨を受信すると、リーダメモリ１９０３に展開されている画像データをエンコーダ１９０４により圧縮し、圧縮された画像データを圧縮メモリ１９０５に格納する。圧縮時間は、画像データの画像情報に応じてばらばらであり、傾向として重めな画像（＝画像濃度が全体的に濃い）の場合、一般的なＪＰＥＧ圧縮を用いたケースにおいて圧縮時間は長めになる。
【００９３】
圧縮メモリ１９０５に格納された画像データは、ネットワークスキャン動作の場合、ネットワークドライバ１９０６により、画像形成装置本体５６にネットワーク１９０９を介して接続されたＰＣ１９０８に転送する。このデータ転送時間は、圧縮メモリ１９０５に格納された画像データのデータ量に依存する。
【００９４】
次に、本実施の形態の原稿の画像読取処理について図１６乃至図１８のフローチャートに基づき説明する。
【００９５】
図１６及び図１７は、画像読取処理（メインシーケンス）を示すフローチャートであり、図１８は、画像読取処理（サブシーケンス）を示すフローチャートである。
【００９６】
図１６乃至図１８において、まず、スキャナコントローラ３０４は、原稿セット検知センサ４０の出力信号に基づき、原稿処理装置２の原稿トレイ４上に原稿がセットされたかどうかを判定する（ステップＳ１００）。原稿トレイ４上に原稿がセットされたと判定した場合、スキャナコントローラ３０４は、操作パネルのスタートキーＰ２０３が押下されたかどうかを判定する（ステップＳ１０１）。
【００９７】
スタートキーＰ２０３が押下されたと判定した場合、スキャナコントローラ３０４は、シェーディング補正回路５０３により上述したシェーディング補正処理を行う（ステップＳ１０２）。シェーディング補正動作時には、第１光学台１５９は白基準白板１７０の直下に移動されており（ＦＣＯＴ（First Copy Time）用のスタンバイ待機位置は白基準白板１７０の直下である）、シェーディング補正動作に際して第１光学台１５９のランプ１５２を点灯させる。
【００９８】
次に、スキャナコントローラ３０４は、プラテンローラ２４を回転させる（ステップＳ１０３）。プラテンローラ２４の回転動作は、上記図１５の処理でのプラテンローラ２４を読み取る時に行い、サンプルデータを副走査方向に対して平均化することを狙いとしている。次に、スキャナコントローラ３０４は、第１光学台１５９を第１読取位置（流し読み位置）１６０へ移動させる（ステップＳ１０４）。次に、スキャナコントローラ３０４は、上記図１５で説明したプラテンローラ２４の読み取り動作を行い、ゲイン値をシェーディング補正回路５０３により係数設定部１０４６に設定する（ステップＳ１０５）。この場合、初回（１枚目）の原稿読取なので、ゲイン値は１を設定する。
【００９９】
次に、スキャナコントローラ３０４は、流し読みモードにて第１光学台１５９を介してＣＣＤ１５８により原稿読取を行う（ステップＳ１０６）。この時の画像データは上記図１１に示した経路を流れることで、シェーディング補正回路５０３によりシェーディング補正された画像データとして出力される。次に、スキャナコントローラ３０４は、原稿トレイ４上に次の原稿があるかどうかを判定する（ステップＳ１０７）。原稿トレイ４上に次の原稿がないと判定した場合、スキャナコントローラ３０４は、終了処理に進む。終了処理については後述する。
【０１００】
原稿トレイ４上に次の原稿があると判定した場合、スキャナコントローラ３０４は、上記ステップＳ１０５と同様に、上記図１５で説明したプラテンローラ２４の読み取り動作を行い、ゲイン値をシェーディング補正回路５０３の係数設定部１０４６に設定する（ステップＳ１０８）。次に、スキャナコントローラ３０４は、不図示のタイマをスタートさせた後（ステップＳ１０９）、画像形成装置本体５６から原稿のスキャン要求があるかどうかを判定する（ステップＳ１１０）。原稿のスキャン要求のタイミングは、画像形成装置本体５６主導のケースの場合とＰＣ１９０８主導のケースの場合とで異なる。
【０１０１】
ＰＣ１９０８主導のケースの場合は、原稿から読み取った画像が画像形成装置本体５６から正常にＰＣ１９０８へ送信されて始めて次の原稿の画像読取を行うため、その間は次のスキャン要求がでない動きとなる。具体的にその時間は、「画像データの圧縮時間」＋「ネットワークを介したＰＣ１９０８への転送時間」であり、この時間分、スキャナコントローラ３０４はスキャン要求が来るのを待つ状況となる。
【０１０２】
また、画像形成装置本体５６主導のケースの場合は、原稿から読み取った画像が正常に圧縮メモリ１９０５に格納されて始めて次の原稿の画像読取を行うため、その間は次のスキャン要求がでない動きとなる。具体的にその時間は、「画像データの圧縮時間」であり、この時間分、スキャナコントローラ３０４はスキャン要求が来るのを待つ状況となる。
【０１０３】
また、画像形成装置本体５６のリーダメモリ１９０３が複数のページメモリを備えている場合は、複数のページメモリ分は先行してスキャナコントローラ３０４へスキャン要求を出すことが可能であり、その場合には、ステップＳ１０９の後に続くステップＳ１１０ではスキャン要求ありと判定される。
【０１０４】
原稿のスキャン要求があると判定した場合、スキャナコントローラ３０４は、上記ステップＳ１０９でスタートさせたタイマを停止する（ステップＳ１１３）。ステップＳ１１３の後は図１８のステップＳ２００へ移行する。原稿のスキャン要求がないと判定した場合、スキャナコントローラ３０４は、中断要求があるかどうかを判定する（ステップＳ１１１）。中断要求は、ＰＣ１９０８側からの指令に基づいて出される（ユーザがＰＣ１９０８のアプリケーション上で原稿読取動作を停止させる操作を行った場合が該当する）。
【０１０５】
中断要求があると判定した場合、スキャナコントローラ３０４は、上記ステップＳ１０９でスタートさせたタイマを停止する（ステップＳ１１２）。ステップＳ１１２の後は中断処理へ移行する。中断処理については後述する。中断要求がないと判定した場合、ステップＳ１１０へ戻る。
【０１０６】
上記ステップＳ１１３の後、スキャナコントローラ３０４は、図５の操作パネルにおける読取モード設定が「速度優先」になっているかどうかを判定する（ステップＳ２００）。読取モード設定が「速度優先」になっていると判定した場合、そのまま図１６のステップＳ１０６へ戻る。読取モード設定が「速度優先」になっていないと判定した場合、スキャナコントローラ３０４は、読取モード設定が「画質優先」になっているかどうかを判定する（ステップＳ２０１）。
【０１０７】
読取モード設定が「画質優先」になっていないと判定した場合、スキャナコントローラ３０４は、上記タイマのタイマ値が所定値（例えば３０秒）以内であるかどうかを判定する。この所定値は、原稿のページ数毎に変更しても良いし、固定値であってもよい。本実施の形態では固定値としている。上記タイマのタイマ値が所定値以内であると判定した場合、そのまま図１６のステップＳ１０６へ戻る。
【０１０８】
上記タイマのタイマ値が所定値以内でないと判定した場合、スキャナコントローラ３０４は、配光変動補正（光量プロファイル変動補正）を行うため、上記図１５で説明したプラテンローラ２４の読み取り動作を行い、ゲイン値をシェーディング補正回路５０３により係数設定部１０４６に設定する（ステップＳ２０３）。ステップＳ２０３においては、初回（１枚目）ではない原稿読取なので、ゲイン値は上記図１５のステップＳ１３で計算したゲイン値を設定する。ステップＳ２０３の終了後は上記図１６のステップＳ１０６へ戻る。
【０１０９】
他方、読取モード設定が「画質優先」になっていると判定した場合（ステップＳ２０１でＹＥＳ）、スキャナコントローラ３０４は、上記図１５で説明したプラテンローラ２４の読み取り動作を行い、ゲイン値をシェーディング補正回路５０３の係数設定部１０４６に設定する（ステップＳ２０３）。上記と同様に、ステップＳ２０３においては、初回（１枚目）ではない原稿読取なので、ゲイン値は上記図１５のステップＳ１３で計算したゲイン値を設定する。ステップＳ２０３の終了後は上記図１６のステップＳ１０６へ戻る。
【０１１０】
次に、中断処理について図１９のフローチャートに基づき説明する。
【０１１１】
図１９は、中断処理を示すフローチャートである。
【０１１２】
図１９において、まず、スキャナコントローラ３０４は、第１光学台１５９のランプ１５２を消灯した後（ステップＳ３００）。画像形成装置本体５６から原稿のスキャン終了要求があるかどうかを判定する（ステップＳ３０１）。スキャン終了要求は、ＰＣ１９０８側からの指令に基づいて出される（ユーザがＰＣ１９０８のアプリケーション上で原稿読取動作を終了させる操作を行った場合が該当する）。
【０１１３】
画像形成装置本体５６からスキャン終了要求があると判定した場合、スキャナコントローラ３０４は、原稿トレイ４に残っている原稿を画像読み取りを行わずに搬送（空搬送）することで排紙トレイ１０に排紙する排紙処理を行い（ステップＳ３０７）、第１光学台１５９を白基準白板１７０の直下へ移動させた後（ステップＳ３０８）、図１６のステップＳ１００へ戻る。
【０１１４】
他方、画像形成装置本体５６からスキャン終了要求がないと判定した場合、スキャナコントローラ３０４は、画像形成装置本体５６から次の原稿読取のためのスキャン要求があるかどうかを判定する（ステップＳ３０２）。上述したように、画像形成装置本体５６からのスキャン要求のタイミングは、画像形成装置本体５６主導のケースの場合とＰＣ１９０８主導のケースの場合とで異なる。
【０１１５】
画像形成装置本体５６から次の原稿読取のためのスキャン要求がないと判定した場合、ステップＳ３０１へ戻る。画像形成装置本体５６から次の原稿読取のためのスキャン要求があると判定した場合、スキャナコントローラ３０４は、第１光学台１５９を白基準白板１７０の直下へ移動させた後（ステップＳ３０３）、上記図１６のステップＳ１０２と同様に、シェーディング補正回路５０３によりシェーディング補正処理を行う（ステップＳ３０４）。この場合、シェーディング補正動作に際して第１光学台１５９のランプ１５２を点灯させる。
【０１１６】
次に、スキャナコントローラ３０４は、第１光学台１５９を第１読取位置（流し読み位置）１６０へ移動させた後（ステップＳ３０５）、ゲイン値１をシェーディング補正回路５０３ｂにより係数設定部１０４６に設定する（ステップＳ３０６）。ステップＳ３０６においては、上記図１６のステップＳ１０５での初回のプラテンローラ２４の読取データを使用する。ステップＳ３０６の終了後は上記図１６のステップＳ１０６へ戻る。
【０１１７】
次に、終了処理について図２０のフローチャートに基づき説明する。
【０１１８】
図２０は、終了処理を示すフローチャートである。
【０１１９】
図２０において、まず、スキャナコントローラ３０４は、第１光学台１５９のランプ１５２を消灯させる（ステップＳ４００）。次に、スキャナコントローラ３０４は、第１光学台１５９を白基準白板１７０の直下へ移動させた後（ステップＳ４０１）、図１６のステップＳ１００へ戻る。
【０１２０】
以上説明したように、本実施の形態によれば、複数の原稿の画像読取を行う際の当該原稿の読取動作後に、次の原稿の読取動作が待たされてしまうケース（例えば原稿の読取画像データを外部装置に送信する時間が長いケース）においても、２枚目以降の原稿読取時に、タイマの計時時間が所定値を超えている場合は、ランプ１５２の光量変動に対する補正を実行し、その後、次の原稿の読取動作を行うことで、ランプ１５２の光量変動に追従することが可能となる。また、タイマの計時時間が所定値を超えていない場合は、そのまま次の原稿の読取動作を行うことで、原稿読取パフォーマンスを最大限に発揮することが可能となる。
【０１２１】
［他の実施の形態］
上記実施の形態では、本発明を、画像読取装置と、画像読取装置を備えた画像形成装置（複合機）に適用した場合を例に挙げたが、これに限定されるものではなく、他の画像形成装置（プリンタ、複写機）やファクシミリ装置に適用することも可能である。
【０１２２】
上記実施の形態では、配光変動補正処理でサンプリングデータを作成する際に第１光学台１５９により読み取る基準部材としてプラテンローラ２４を設けた場合を例に挙げたが、これに限定されるものではなく、プラテンローラ２４の代わりに白基準シートを設ける構成してもよい。
【０１２３】
上記実施の形態では、図１８のステップＳ２０２でタイマのタイマ値が所定値以内か否かを判定する場合を例に挙げたが、これに限定されるものではなく、タイマのタイマ値が所定値以内か否かの判定の実行の有無を切り替え可能としてもよい。
【０１２４】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１２５】
この場合、記憶媒体から読み出されたプログラムコード自体が前述した実施の形態の機能を実現することになり、そのプログラムコード及び該プログラムコードを記憶した記憶媒体は本発明を構成することになる。
【０１２６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【０１２７】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１２８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【０１２９】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【０１３０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【０１３１】
上記実施の形態では、複合装置の印刷方式を電子写真方式とした場合を例に挙げたが、本発明は、電子写真方式に限定されるものではなく、インクジェット方式、熱転写方式、感熱方式、静電方式、放電破壊方式など各種印刷方式に適用することができる。
【０１３２】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【０１３３】
【図１】本発明の実施の形態に係る画像読取装置の構成を示す構成図である。
【図２】画像読取装置を備えた画像形成装置の構成を示す構成図である。
【図３】原稿処理装置及びリーダ部の駆動系を示す構成図である。
【図４】リーダ部に配設される操作パネルの例を示す図である。
【図５】操作パネルの表示が切り替わった例を示す図である。
【図６】リーダ部の制御系の構成を示すブロック図である。
【図７】原稿処理装置の制御系の構成を示すブロック図である。
【図８】リーダ部のスキャナコントローラと画像形成装置本体とＰＣとの接続状態を示すブロック図である。
【図９】原稿処理装置及びリーダ部間の原稿読取部の構成を示す断面図である。
【図１０】原稿読取部の要部を拡大した断面図である。
【図１１】画像読取装置の画像データの流れを示すブロック図である。
【図１２】シェーディング補正回路の構成を示すブロック図である。
【図１３】リーダ部の第１光学台のランプの主走査配光分布を示す図である。
【図１４】主走査配光分布のＥ−Ｆ間のゲイン値を示す図である。
【図１５】配光変動補正処理を示すフローチャートである。
【図１６】画像読取処理（メインシーケンス）を示すフローチャートである。
【図１７】図１６のフローチャートの続きである。
【図１８】画像読取処理（サブシーケンス）を示すフローチャートである。
【図１９】中断処理を示すフローチャートである。
【図２０】終了処理を示すフローチャートである。
【図２１】従来例に係る原稿処理装置の読取位置上方にガイド部材を設けた場合の構成を示す構成図である。
【図２２】原稿処理装置の読取位置上方にプラテンローラを設けた場合の構成を示す構成図である。
【符号の説明】
【０１３４】
２  原稿処理装置
４  原稿トレイ
５  給紙ローラ（搬送手段）
８  分離搬送ローラ（搬送手段）
２２  リードローラ（搬送手段）
１５０  リーダ部
１５２  ランプ
１５９  第１光学台（読取手段）
３００  プリンタ部  
３０４  スキャナコントローラ（制御手段）
５０３  シェーディング補正回路
【図１】
2006148259.tif 000003
【図２】
2006148259.tif 000004
【図３】
2006148259.tif 000005
【図４】
2006148259.tif 000006
【図５】
2006148259.tif 000007
【図６】
2006148259.tif 000008
【図７】
2006148259.tif 000009
【図８】
2006148259.tif 000010
【図９】
2006148259.tif 000011
【図１０】
2006148259.tif 000012
【図１１】
2006148259.tif 000013
【図１２】
2006148259.tif 000014
【図１３】
2006148259.tif 000015
【図１４】
2006148259.tif 000016
【図１５】
2006148259.tif 000017
【図１６】
2006148259.tif 000018
【図１７】
2006148259.tif 000019
【図１８】
2006148259.tif 000020
【図１９】
2006148259.tif 000021
【図２０】
2006148259.tif 000022
【図２１】
2006148259.tif 000023
【図２２】
2006148259.tif 000024